(57)【要約】【課題】  温湯タンクとクレーンとの一体化を図って、装置の設置や移設等を容易に行うことができるとともに、クレーンを用いた温湯タンクを中心とする種籾の消毒作業の効率化と省力化を図ることができる種籾の消毒装置を提供する。【解決手段】  種籾の温湯消毒装置１は、種籾を温湯に浸す温湯タンク２と、種籾を収容する多孔状の種籾容器３と、種籾容器３を吊り下げて昇降および移動させるクレーン４とで構成されている。クレーン４は、温湯タンク２に取り付けられているとともに種籾容器３の移動範囲が温湯タンク２の左右いずれか一方または両方の作業領域にわたる構成である。クレーン４は、温湯タンク２の背面側に固定支持した左右一対の支柱５、５に横桁６を架設した構成である。横桁６には種籾容器を吊り下げるホイスト７を横桁６に沿って移動自在に装備してある。【選択図】        図１
2006230270.tif 000002
【特許請求の範囲】
【請求項１】
種籾を温湯に浸して病原菌を死滅ないし不活化する種籾の温湯消毒装置であって、種籾を温湯に浸す温湯タンクと、種籾を収容する通水性の種籾容器と、種籾容器を吊り下げて昇降および移動させるクレーンとで構成され、上記クレーンは、温湯タンクに取り付けられているとともに種籾容器の移動範囲が温湯タンクの左右いずれか一方または両方の作業領域にわたる構成であることを特徴とする種籾の温湯消毒装置。
【請求項２】
クレーンは、温湯タンクの背面側に固定支持した左右一対の支柱に横桁を架設した構成であり、横桁には種籾容器を吊り下げるホイストを横桁に沿って移動自在に装備してあることを特徴とする請求項１記載の種籾の温湯消毒装置。
【請求項３】
クレーンの横桁には、温湯タンク上およびその左右いずれか一方または両方の作業領域上のそれぞれの定位置にホイストの移動を止める位置決めストッパー機能を備えていることを特徴とする請求項２記載の種籾の温湯消毒装置。
【請求項４】
温湯タンクの左右いずれか一方の作業領域に、温湯消毒後の種籾を冷却する冷水タンクを配置したことを特徴とする請求項１、２または３記載の種籾の温湯消毒装置。
【請求項５】
温湯タンクの左右いずれか一方の作業領域に種籾容器を載せる作業台を配置し、かつそのいずれか他方の作業領域に温湯消毒後の種籾を冷却する冷水タンクを配置したことを特徴とする請求項１、２または３記載の種籾の温湯消毒装置。
【請求項６】
温湯消毒後の種籾を冷却する冷水タンクには、水切り機能を備えた作業台を並設したことを特徴とする請求項４または５記載の種籾の温湯消毒装置。
【請求項７】
温湯タンク内には、その手前側上端縁から種籾容器の載置位置にかけて傾斜する種籾容器の下降案内板を設けてあることを特徴とする請求項１、２または３記載の種籾の温湯消毒装置。
【請求項８】
種籾容器の降下案内板の両側に、種籾容器の左右位置決め案内体を設けてあることを特徴とする請求項７記載の種籾の温湯消毒装置。
【発明の詳細な説明】
【技術分野】
【０００１】
本発明は、種籾を温湯に浸して種籾の表面に付着しまたは籾殻と果皮との間に潜む病原菌（いもち病、ばか苗病、苗立枯細菌病、ごま葉枯病、褐条病、もみ枯細菌病など）を死滅ないしは不活化する種籾の温湯消毒装置に関するものである。
【背景技術】
【０００２】
種籾を所定温度の温湯に所定時間浸すことにより、種籾の表面に付着または籾殻と果皮との間に潜む病原菌を死滅ないしは不活化（以下、消毒という）する装置としては、特開２０００−３１６３２１公報または特開２０００−３４２０１８公報に記載されているものが知られている。
【０００３】
また、種籾を収容した種籾容器を自走クレーンで吊り下げて温湯タンクに出し入れする種籾の温湯消毒装置は、特開平１１−３１８１１８号公報または特願２００３−２３５３０８公報に記載されている。
【０００４】
さらにまた、支柱を中心にして滅菌用高温水槽、冷却用低温水槽、被処理種子の供給部、および処理済み種子の取り出し部を円周上に配置し、上記支柱に放射状に支持された５本のアームのそれぞれに被処理種子のバケットを吊り下げるようにした芋もの野菜種子の滅菌装置は、特開平８−９７１４号公報に記載されている。
【０００５】
なお、ホイスト式天井クレーンは、特開２０００−１０９２８４公報または実開平６−５３５７８号公報に開示されている。
【特許文献１】特開２０００−３１６３２１公報
【特許文献２】特開２０００−３４２０１８公報
【特許文献３】特開平１１−３１８１１８号公報
【特許文献４】特願２００３−２３５３０８公報
【特許文献５】特開平８−９７１４号公報
【特許文献６】特開２０００−１０９２８４公報
【特許文献７】実開平６−５３５７８号公報
【発明の開示】
【発明が解決しようとする課題】
【０００６】
前掲の特開２０００−３１６３２１号公報または特開２０００−３４２０１８号公報に記載されている種籾の温湯消毒装置においては、網袋に詰めた種籾を種籾容器に入れて、温湯タンクの温湯に所定時間浸漬したうえ、種籾容器を引き上げる作業を繰り返すので、作業者は温湯タンクの前縁に立って中腰の姿勢で重い種籾容器を上げ下げしなければならず、作業がきつく腰を痛める虞がある。
【０００７】
そこで、前掲の特開平１１−３１８１１８号公報または特願２００３−２３５３０８公報が紹介するように、温湯タンクや冷却槽などを配置した空間を跨ぐように自走クレーンを設備して、温湯タンクや冷却槽に対する種籾容器の上げ下げや吊り上げた種籾容器の移動作業などを容易に行うことができるようにした提案がなされているが、これらの自走クレーンは、作業場に四脚となる支柱を構築するか、あるいは建屋の天井や梁を利用してクレーンの桁構造を構築しているところから、自走クレーン自体が大掛かりになるばかりか、自走クレーンが構築物のため温湯タンクとの一体化が図れないため、作業形態等の状況によって移設を要する場合であってもそれを妨げる要因となっている。
【０００８】
一方、前掲の特開平８−９７１４号公報が紹介する装置では、滅菌用高温水槽、冷却用低温水槽、被処理種子の供給部、および処理済み種子の取り出し部を支柱を中心にして円周上に配置しなければならず、配置上の制約が大きいばかりか、アームの昇降間隔（距離）にも制約があるので、実用性に乏しいものである。
【０００９】
本発明は、前述のような従来のものの問題点を解消しようとするものであって、種籾を温湯に浸す温湯タンクに、種籾容器を吊り下げて昇降および移動させるクレーンを温湯タンクに取り付けて一体化するとともに、クレーンによる種籾容器の移動範囲を温湯タンクの左右いずれか一方または両方の作業領域にわたる構成としたことにより、設置や移設等を容易に行うことができるとともに、クレーンによる種籾容器の吊り上げ移動範囲を温湯タンク上およびその隣接する作業領域にあるようにして、クレーンを用いた温湯タンクを中心とする種籾の消毒作業の効率化と省力化を図ることができる種籾の消毒装置を提供することを目的とするものである。
【課題を解決するための手段】
【００１０】
上記目的を達成するため、本発明は請求項１ないし６の種籾の温湯消毒装置を提供する。すなわち、請求項１に係る種籾の温湯消毒装置は、種籾を温湯に浸して病原菌を死滅ないし不活化する種籾の温湯消毒装置であって、種籾を温湯に浸す温湯タンクと、種籾を収容する通水性の種籾容器と、種籾容器を吊り下げて昇降および移動させるクレーンとで構成され、上記クレーンは、温湯タンクに取り付けられているとともに種籾容器の移動範囲が温湯タンクの左右いずれか一方または両方の作業領域にわたる構成であることを特徴とするものである。
【００１１】
請求項２に係る種籾の温湯消毒装置は、請求項１の構成において、クレーンは、温湯タンクに背面側に固定支持した左右一対の支柱に横桁を架設した構成であり、横桁には種籾容器を吊る下げるホイストを横桁に沿って移動自在に装備してあることを特徴とするものである。
【００１２】
請求項３に係る種籾の温湯消毒装置は、請求項２の構成において、クレーンの横桁には、温湯タンク上およびその左右いずれか一方または両方の作業領域上のそれぞれの定位置にホイストの移動を止める位置決めストッパー機能を備えていることを特徴とするものである。
【００１３】
請求項４に係る種籾の温湯消毒装置は、請求項１、２または３の構成において、温湯タンクの左右いずれか一方の作業領域に、温湯消毒後の種籾を冷却する冷水タンクを配置したことを特徴とするものである。
【００１４】
請求項５に係る種籾の温湯消毒装置は、請求項１、２または３の構成において、温湯タンクの左右いずれか一方の作業領域に種籾容器を載せる作業台を配置し、かつその何れか他方の作業領域に温湯消毒後の種籾を冷却する冷水タンクを配置したことを特徴とするものである。
【００１５】
請求項６に係る種籾の温湯消毒装置は、請求項２、３、４または５の構成において、温湯消毒後の種籾を冷却する冷水タンクには、水切り機能を備えた作業台を並設したことを特徴とするものである。
【００１６】
請求項７に係る種籾の温湯消毒装置は、請求項１、２または３記載の構成において、温湯タンク内には、その手前側上端縁から種籾容器の載置位置にかけて傾斜する種籾容器の下降案内板を設けてあることを特徴とするものである。
【００１７】
請求項８に係る種籾容器の温湯消毒装置は、請求項７記載の構成において、種籾降下案内板の両側に、種籾容器の左右位置決め案内体を設けてあることを特徴とするものである。
【発明の効果】
【００１８】
本発明によれば、種籾を温湯に浸す温湯タンクに、種籾容器を吊り下げて昇降および移動させるクレーンを温湯タンクに取り付けて一体化するとともに、クレーンによる種籾容器の移動範囲を温湯タンクの左右いずれか一方または両方の作業領域にわたる構成としたことにより、設置や移設等を容易に行うことができるとともに、クレーンによる種籾容器の吊り上げ移動範囲を温湯タンク上およびその隣接する作業領域にあるようにして、クレーンを用いた温湯タンクを中心とする種籾の消毒作業の効率化と省力化を図ることができる。
【発明を実施するための最良の形態】
【００１９】
図１は本発明の第一の実施の形態に係る種籾の温湯消毒装置の斜視図、図２は同上平面図、図３は同上一部の斜視図、図４は同上クレーンの一部を示す分解斜視図である。また、図５は本発明の第二の実施の形態に係る種籾の温湯消毒装置の斜視図、図６は本発明の第三の実施の形態に係る種籾の温湯消毒装置の正面図、図７は本発明の第四の実施の形態に係る種籾の温湯消毒装置の斜視図、図８は同上断面図、図９は同上使用態様を示す参考写真、図１０は図９の状態から種籾容器の向きを整えて下降させる態様を示す参考写真である。
【００２０】
図１ないし図４に示す第一の実施の形態において、１は種籾の温湯消毒装置である。この種籾の温湯消毒装置１は、温湯タンク２と、種籾を収容する多孔状で通水性の種籾容器３と、種籾容器３を吊り下げて昇降および移動させるクレーン４とで構成されている。上記クレーン４は、温湯タンク２の背面側に固定支持した左右一対の支柱５、５に横桁６を架設した構成であり、横桁６にはホイスト７が横桁６に沿って移動自在に装備してある。このホイスト７は、吊りフック８、吊りチェーン９、吊りフック８を昇降させるためのモータ１０を備えており、フック８に掛けた種籾容器３を吊り下げて、横桁６に沿って移動させるものである。１１は手元操作器、１２はその接続ケーブルであって、ホイスト７は手元操作器１１の手元操作で吊りフック８を昇降操作するようになっている。
【００２１】
上記クレーン４の左右一対の支柱５、５は、その下端部に支持部材１３を取り付けて、その係止突起１４を温湯タンク２の背面側下部の補強台状部１５の孔１６に挿入係止したうえ、温湯タンク２の上端縁にネジ１７により固定した固定部材１８とそれに対する受け部材１９によりネジ２０により固定するものである。左右一対の支柱５、５の上端には前方に向けて水平に張り出す水平桁２１、２１が設けられており、この水平桁２１、２１に、上側取付部材２２と下側取付部材２３によって横桁６が前後方向の位置調節可能にネジ２４で取り付けるようになっていて、横桁６は温湯タンク２の前後方向中間線上に位置するように調節して固定する。横桁６には、温湯タンク２の左右中間位置上方にあたる位置に位置決めストッパー２５が設けられている。
【００２２】
温湯タンク２の左右いずれか一方または両方は作業領域となるが、図１に示す実施の形態では、温湯タンク２の右側に温湯消毒後の種籾を冷却する冷水タンク２６を配置してあり、クレーン４の横桁６は、温湯タンク２の上方から冷水タンク２６の上方にかけて架設されていて、冷水タンク２６の左右中間位置の上方にあたる横桁６の右端部には位置決めストッパー２７が取り付けられている。前記位置決めストッパー２５、２７はネジ２８を有する上部材２９と横桁６を挟む下部材３０とで構成され、ナット３により横桁６を挟んで固定するものである。
【００２３】
図５に示す第二の実施の形態においては、温湯タンク２の左側の作業領域に種籾容器３を載せる作業台３１を配置しており、クレーン４の横桁６は作業台３１の上方まで張り出させてある。なお、温湯タンク２の右側の作業領域には温湯消毒後の種籾を冷却する冷水タンク２６を配置してあることは図１の実施の形態と同様である。
【００２４】
図５に示す第二の実施の形態においては、作業台３１の上方にあたる横桁６の左端部にも位置決めストッパー３２を取り付けてあり、この位置決めストッパー３２は前記右端の位置決めストッパー２７と同構成である。なお、この実施の形態においては、ホイスト７が横桁６の左右端部間を往復移動する必要があるので、温湯タンク２上方の位置決めストッパー２５はホイスト７の移動に対するストップ状態のクリック（節度）機能を備えた構成とする。
【００２５】
図６に示す第三の実施の形態は、図５に示す構成において冷水タンク２６の右側に水切り機能を備えた作業台３３を並設したものである。
【００２６】
以上、第一、第二および第三の実施の形態とも温湯タンク２はその背部側中央に給湯機３４を備えている。温湯タンク２内には、多孔状のスノコ３５が底面との間に一定の高さを成すように配置されている。温湯タンク２内には、温湯噴き上げ部３６を設けてあって、この温湯噴き上げ部３５には上記給湯機３４から所定温度の温湯が供給され、温湯タンク２内に温湯が噴き上げられるようになっている。種籾を入れた種籾容器３は温湯噴き上げ部３６上に載置して、種籾に噴き上げる温湯を均等に浴びせて温湯消毒を行うものである。
【００２７】
種籾の温湯消毒を行うにあたっては、温湯タンク２に張った水または温湯を、温湯機３４により所定温度を保つように温湯温度を制御する。消毒する種籾は網袋に詰めるかまたは直に種籾容器３に入れ、種籾容器３の吊り手をクレーン４の吊りフック８に吊り掛け、ホイスト７の操作により種籾容器３を温湯噴き上げ部３６上に位置させて吊り降ろし、種籾容器３に入れた種籾を温湯に浸漬するとともに噴き上げる温湯を浴びせて温湯消毒をする。なお、その温湯の温度は６０℃、種籾を温湯に浸浸して噴き上げる温湯を浴びせる時間は１０分間程度である。
【００２８】
このようにして、温湯消毒の所定時間が経過したならば、遅滞なくクレーン４の吊りフック８を種籾容器３の吊り手に再び吊り掛け、ホイスト７を操作して温湯タンク２から種籾容器３を吊り上げて冷水タンク２６の上方位置に移動させて、冷水タンク２６の冷水に浸して冷却する。
【００２９】
図５に示す第二の実施の実施の形態では、温湯タンク２の左側の作業領域に作業台３１を配置してあるので、この作業台３１上で種籾容器３に消毒する種籾を詰める作業を行うことができる。また図６に示す第三の実施の形態では、冷水タンク２６に水切り機能を備えた作業台３３を並設してあるので、冷水タンク２６からクレーン４により引き上げた種籾容器３を作業台３３上に移して直ちに種籾の水切りができて、種籾消毒の一連作業を円滑かつ能率よく省力的に遂行することができる。
【００３０】
本発明に係る種籾の温湯消毒装置１においては、温湯タンク２にクレーン４を取り付けてあるので、使用時には温湯タンク２に略満杯に張り込まれた温湯の重量が加わった状態でクレーン４が支えられ、使用時におけるクレーン４の高い安定性と安全性が確保される。また、温湯タンク２に温湯（水）を張り込んでいない状態では、温湯タンク２は軽く、クレーン４と一体であっても移動や搬送が容易にでき、保守点検等の作業も容易にできる。
【００３１】
図７および図８に示す第四の実施の形態に係る温湯タンク２は、前記実施の形態に係るものの構成と基本的に同等であるが、温湯タンク２内には、その手前側上端縁３７から種籾容器３の載置位置３８にかけて傾斜する種籾容器３の下降案内板３９を設けてある。この下降案内板３９は、手前側の緩い傾斜面４０とその下方の垂直面４１を形成しており、降下案内板３９の両側、すなわちその垂直面４１の両側に種籾容器３の左右位置決め案内体４２、４２を設けてある。この種籾容器３の左右位置決め案内体４２、４２は、上端を外方に拡開面４３、４３とした垂直板状をなしているものである。なお、種籾容器３の下降案内板３９および左右位置決め案内体４２、４２は、種籾容器３の載置位置３８の前方側に、また前後両方に備えることも可能である。
【００３２】
図７および図８に示す第四の実施の形態によれば、図９に示すように、クレーンにより吊り下げた種籾容器３を一方の手で持ち、他方の手で手元操作器を操作して種籾容器３を下降させるが、その際に種籾容器３の吊り下げ角度がその載置位置３８に対して一致していていなくても、図１０に示すように、種籾容器３を手前の下降案内板２９に沿わせて下降させれば、種籾容器３をその載置位置３８の温湯噴き上げ部３５上に跨がせて的確に載置ことができる。
【図面の簡単な説明】
【００３３】
【図１】本発明の第一の実施の形態に係る種籾の温湯消毒装置の斜視図である。
【図２】同上平面図である。
【図３】同上一部の斜視図である。
【図４】クレーンの一部を示す分解斜視図である。
【図５】本発明の第二の実施の形態に係る種籾の温湯消毒装置の斜視図である。
【図６】本発明の第三の実施の形態に係る種籾の温湯消毒装置の正面図である。
【図７】本発明の第四の実施の形態に係る種籾の温湯消毒装置の斜視図である。
【図８】同上断面図である。
【図９】同上使用態様を示す参考写真である。
【図１０】図９の状態から種籾容器の向きを整えて下降させる態様を示す参考写真である。
【符号の説明】
【００３４】
１  種籾の温湯消毒装置
２  温湯タンク
３  種籾容器
４  クレーン
５、５  左右一対の支柱
６  横桁
７  ホイスト
８  吊りフック
９  吊りチェーン
１０  モータ
１１  手元操作器
１２  接続ケーブル
１３  支持部材
１４  係止突起
１５  補強台状部
１６  孔
１７  ネジ
１８  固定部材
１９  受け部材
２０  ネジ
２１、２１  水平桁
２２  上側取付部材
２３  下側取付部材
２４  ネジ
２５  位置決めストッパー
２６  冷水タンク
２７  位置決めストッパー
２８  ネジ
２９  上部材
３０  下部材
３１  作業台
３２  位置決めストッパー
３３  作業台
３４  給湯機
３５  スノコ
３６  温湯噴き上げ部
３７  手前側上端縁
３８  種籾容器の載置位置
３９  種籾容器の下降案内板
４０  緩い傾斜面
４１  垂直面
４２、４２  種籾容器の左右位置決め案内体
４３、４３  拡開面
【図１】
2006230270.tif 000003
【図２】
2006230270.tif 000004
【図３】
2006230270.tif 000005
【図４】
2006230270.tif 000006
【図５】
2006230270.tif 000007
【図６】
2006230270.tif 000008
【図７】
2006230270.tif 000009
【図８】
2006230270.tif 000010
【図９】
2006230270.tif 000011
【図１０】
2006230270.tif 000012